(57)【要約】      （修正有）【課題】折りたたんだ状態の容器を広げる操作に伴って室の仕切りを開通する実用的な複室容器を提供する。【解決手段】柔軟なプラスチック製の容器２と、容器２内を複数の室に仕切る隔壁３と、隔壁３に取り付けられた連通部材４と、容器２に取り付けられた注口部５と、を有し、連通部材４は、周面が容器２の内面に接着されて容器２内を一方側の室２ａと他方側の室２ｂとに仕切る基部４ａと、基部４ａから屈曲部４ｂを介し一方側の室２ａ内に延びて容器２を折り畳み状態に保つ折り返し片４ｃと、を有し、容器２を折り畳み状態から広げる操作に伴って破断する易破断部４ｄが屈曲部４ｂに形成され、且つ、基部４ａの他方側の室２ｂに臨む側面に一端が開口するとともに易破断部４ｄの破断によって一方側の室２ａに開口し一方側の室２ａと他方側の室２ｂとを連通する通路６が形成されている。【選択図】図１
0003120736.tif 000002
【実用新案登録請求の範囲】
【請求項１】
柔軟なプラスチック製の容器と、前記容器内を複数の室に仕切る隔壁と、前記隔壁に取り付けられた連通部材と、前記容器に取り付けられた注口部と、を有し、
前記連通部材は、周面が前記容器の内面に接着されて該容器内を一方側の室と他方側の室とに仕切る基部と、該基部から屈曲部を介し前記一方側の室内に延びて前記容器を折り畳み状態に保つ折り返し片と、を有し、前記容器を折り畳み状態から広げる操作に伴って破断する易破断部が前記屈曲部に形成され、且つ、前記基部の他方側の室に臨む側面に一端が開口するとともに前記易破断部の破断によって前記一方側の室に開口し前記一方側の室と他方側の室とを連通する通路が形成されていることを特徴とする複室容器。
【請求項２】
前記折り返し片は、周縁部に拡張する扁平状の誘導片が形成されていることを特徴とする請求項１記載の複室容器。
【請求項３】
前記連通部材は、内部に封鎖された薬剤室を更に有し、前記薬剤室は、前記易破断部の破断によって開封する位置に形成されていることを特徴とする請求項１記載の複室容器。
【請求項４】
前記連通部材は、前記折り返し片の少なくとも一部が前記容器の内壁に固定されていることを特徴とする請求項１記載の複室容器。
【請求項５】
前記連通部材は、前記基部と前記折り返し片とを接続し前記易破断部の破断によって破断しない可撓性接続部材を更に備えることを特徴とする請求項1記載の複室容器。
【考案の詳細な説明】
【技術分野】
【０００１】
本考案は、隔壁によって仕切られた複数の収容室を有する複室容器に関するものである。
【背景技術】
【０００２】
従来、用時連通可能な仕切りで区画された複数の室に薬剤等が収容された複室容器は、例えばアミノ酸液とブドウ糖液や、抗生物質と溶解液など、分別収容して用時に混合する薬剤等の容器として広く採用されている。
【０００３】
この種の複室容器は非常に利便性に優れているが、用時に混合操作をうっかり忘れ、一方の薬剤のみ投与するといった事故を起こすおそれもある。そこで、そのような事故の防止対策が、種々検討されている。
【０００４】
ところで、上記の複室容器は、室の仕切り部位で折りたたんで包装し、使用の際に広げて用いることが一般的である。このことを利用して、折りたたんだ状態の容器を広げる際に、室の仕切りもそれに伴って開通するような仕組みがいくつか提案されている（例えば、特開２００５−４０４１５、特開２００５−１８７０３９、特開２００５−２８７６５８等）。
【考案の開示】
【考案が解決しようとする課題】
【０００５】
しかしながら、従来提案されているものは、仕切りの開封強度調節が困難であったり、装置が大がかりでコスト高となったり、あるいは仕切りの密封度が不十分であったりして、実用的ではなかった。
【０００６】
そこで、本考案は、折りたたんだ状態の容器を広げる操作に伴って室の仕切りを開通する実用的な複室容器を提供することを目的とする。
【課題を解決するための手段】
【０００７】
上記目的を達成するため、本考案に係る複室容器は、柔軟なプラスチック製の容器と、前記容器内を複数の室に仕切る隔壁と、前記隔壁に取り付けられた連通部材と、前記容器に取り付けられた注口部と、を有し、前記連通部材は、周面が前記容器の内面に接着されて該容器内を一方側の室と他方側の室とに仕切る基部と、該基部から屈曲部を介し前記一方側の室内に延びて前記容器を折り畳み状態に保つ折り返し片と、を有し、前記容器を折り畳み状態から広げる操作に伴って破断する易破断部が前記屈曲部に形成され、且つ、前記基部の他方側の室に臨む側面に一端が開口するとともに前記易破断部の破断によって前記一方側の室に開口し前記一方側の室と他方側の室とを連通する通路が形成されていることを特徴とする。
【０００８】
前記折り返し片は、周縁部に拡張する扁平状の誘導片が形成されていることが好ましい。
【０００９】
前記連通部材は、内部に封鎖された薬剤室を更に有し、前記薬剤室は、前記易破断部の破断によって開封する位置に形成されていることが好ましい。
【００１０】
前記隔壁は、前記折り返し片の少なくとも一部が前記容器の内壁に固定されていることが好ましい。
【００１１】
前記複室容器は、前記基部と前記折り返し片とを接続する可撓性接続部材を更に備えることが好ましい。
【考案の効果】
【００１２】
本考案によれば、基部の周囲と容器内面との接着部分は開封のために引き剥がすことはないため接着強度の調整は容易であり、隔壁は硬質のプラスチックによって形成されているので安価にて提供できるし、易破断部を破断しない限り隔壁が開通することがないため隔壁の密閉度を確保できる。
【考案を実施するための最良の形態】
【００１３】
本考案の好ましい実施形態について以下に図面を参照して説明する。なお、全図を通じ、同種の構成要素には同符号を付した。
【００１４】
図１及び図２は、本考案に係る複室容器１の第１実施形態を示し、図１は折り畳み状態にある容器を示し、図２は折り畳み状態から広げた状態にある容器を示している。
【００１５】
複室容器１は、柔軟なプラスチック製の容器２と、容器２内を室２ａ、２ｂに仕切る隔壁３と、隔壁３に取り付けられた連通部材４と、容器２に取り付けられた注口部５と、を有している。
【００１６】
容器２は、２枚のプラスチックフィルムを重ね合わせてその周縁部がヒートシールされている。
【００１７】
連通部材４は、外周面が容器２の内面に接着された基部４ａと、基部４ａから屈曲部４ｂを介し一方側の室２ａ内に延びる保つ折り返し片４ｃと、を有している。容器２は、図１に示すように、屈曲部４ｂのところで折り曲げられ、折り返し片４ｃによって折り畳み状態を維持される。
【００１８】
基部４ａは、その外周面が容器２の内面に接着されることによって、容器２の内部を一方側の室２ａと他方側の室２ｂとに液密的に仕切り、隔壁３の一部又は全部を形成する。すなわち、隔壁３は、後述するように、容器３を形成するプラスチックフィルム同士のヒートシール部と、基部４ａと容器２との接着部分とによって構成することもできるし、基部４ａと容器２との接着部分のみによって形成することもできる。基部４ａの外周面と容器２の内面との接着は、熱溶着又は接着剤等の公知の接着手段を採用することができる。
【００１９】
屈曲部４ｂには易破断部４ｄが形成されており、易破断部４ｄは、図２に示すように、容器２を折り畳み状態から広げる操作に伴って破断する。易破断部４ｄは、図示例のような切欠き溝によって形成された薄肉部とすることができる。易破断部４ｄを形成する切欠き溝は、屈曲部４ｂの全外周に亘って形成されているが、屈曲部４ｂの一部に形成することもできる。
【００２０】
なお、前記易破断部の形成方法としては、上記薄肉部の他に、例えば屈曲部４ｂを、相溶性の乏しい２種のプラスチックより成形した２つの部品を熱溶着することにより不完全溶着部を形成し、その不完全熱溶着部を易破断部とすることができる。このような２種のプラスチックとしては、例えばポリエチレンとポリプロピレン、ポリエチレンとポリ環状オレフィン等の組み合わせを挙げることができる。
【００２１】
連通部材４には、内部に通路６が形成されている。この通路６は、基部４ａの他方側の室２ａに臨む側面に開口し、屈曲部４ｂの内部を延び、易破断部４ｄが形成されている位置を超えたところで終端して閉じられている。通路６は、図２に示すように、易破断部４ｄが破断することによって一方側の室２ａに開通する。通路６は、細孔状、溝状等、種々の輪郭を採用することができる。
【００２２】
連通部材４は、容器２を折り畳み状態に保ち、用時に破断させるため、硬質のプラスチック材料によって形成され得るが、例えば、ポリエチレン、ポリプロピレン、ポリ環状オレフィンなどの熱可塑性プラスチックより、射出成形等の方法により一体成形とすることができる。
【００２３】
複室容器１は、一般的には、使用前においては図１に示す折り畳み状態で図示しない包装袋に包装されている。そして、使用時に複室容器１は該包装袋から取り出され、図２に示されているように折り畳み状態から広げられると、連通部材４が易破断部４ｄで破断し、通路６が一方側の室２ａと他方側の室２ｂとを連通することにより、一方側の室２ａと他方側の室２ｂの各々の内容物が混合される。
【００２４】
なお、複室容器１を製造するにあたっては、周縁部に未シール部を形成して該未シール部から薬液等の収容物を充填してもよいし、注口部５より充填しても良い。注口部より充填するためには、各室に注口部を設けておくことが好ましい。
【００２５】
上記構成を有する複室容器１は、基部４ａの外周面と容器２の内面との接着部分を隔壁開封時に引き剥がす必要がなく、従来のように接着部分を引き剥がすことを前提としていないので、接着強度の調整は容易である。また、連通部材４は硬質プラスチック材料の一体成形により製造することができるので安価にて提供できる。さらに、易破断部４ｄを破断しない限り連通部材４が開通することがないため隔壁３の密閉度を確保することができる。
【００２６】
上記形態においては基部４ａのみが容器２の内面に接着されているが、折り返し片４ｃの少なくとも一部を容器２の内面に接着固定することもできる。斯かる構成により、破断した折り返し片４ｃが室２ａ内の液中に浮遊するのを防止し得るし、折り畳み状態にある容器を広げる際に折り返し片４ｃが容器２内面から引張力を受けるため易破断部４ｄに対する破断力を付与し易くなる。
【００２７】
折り返し片４ｃは、図３に示すように、その周縁部（図示例では両側縁）に拡張する扁平状の誘導片４eを形成することが好ましい。誘導片４ｅは、容器２内面との接触面積を広げることにより、折り畳まれている容器２を広げる際に易破断部４ｄに作用する力を大きくして破断させ易くする機能を有している。なお、図３に示す形態では、隔壁３は、連通部材４の基部４ａと容器２内面の接着部分３ｂと、容器２を形成するプラスチックフィルム同士のヒートシール部分３ｂとによって形成されている。隔壁３の一部を形成するヒートシール部分３ｂは、容器２の周縁シール部分２ｄと連設されており、シール部分３ａ、３ｂのヒートシール強度は同じである。
【００２８】
さらに、連通部材４は、図４に示すように、その内部に、封鎖された薬剤室７を更に有することができる。この薬剤室７は、易破断部４ｄの破断によって開封する位置に形成される。斯かる薬剤室７は、室２ａ、２ｂの内容物の何れとも混合できない薬剤等を別途収容するのに役立つ。このような薬剤室７は、連通部材４を成型後に、薬剤を充填し、その充填口を密栓７ａによって封止することにより製造することができる。なお、図４に示す連通部材４は、連通部分４と容器２内面との接着部分が、隔壁３の全部を構成する態様である。
【００２９】
また、連通部材４は、図５に示すように、基部４ａと折り返し片４ｃとを接続し易破断部４ｄの破断によって破断しない可撓性接続部材８を更に備えることが好ましい。可撓性接続部材８は、易破断部４ｄが破断した際に、折り返し片４ｃが室２ａの液中を浮遊するのを防止し得る。柔軟な可撓性接続部材８は、２色成形やインサート成形等により成形することができる。
【００３０】
さらに、図６，７に示すように、屈曲部４ｂに複数の破断部位４ｄ１、４ｄ２を形成し、折り畳まれている容器２を広げて破断部位４ｄ-１、４ｄ２を破断させることによって、屈曲していた連通部材４が真っ直ぐに伸びるようにしても良い。また、易破断部を破断させて通路６を開通させた後に、屈曲部４ｂが完全に切り離されず、屈曲部４ｂが部分的に連結した状態となるように易破断部を形成することもできる。
【図面の簡単な説明】
【００３１】
【図１】本考案に係る複室容器の一実施形態を示す断面図である。
【図２】図１の複室容器の使用状態を示す断面図である。
【図３】本考案に係る複室容器の構成要素である連通部材を示す斜視図である。
【図４】本考案構成要素である連通部材の変更態様を示す斜視図である。
【図５】本考案構成要素である連通部材の更なる変更態様を示す斜視図である。
【図６】本考案構成要素である連通部材の更なる変更態様を示す断面図である。
【図７】図６の連通部材の使用状態を示す断面図である。
【符号の説明】
【００３２】
１  複室容器
２  容器
３  隔壁
４  連通部材
４ａ  基部
４ｂ  屈曲部
４ｃ  折り返し片
４ｄ  易破断部
４ｅ  誘導片
５  注口部
６  通路
７  薬剤室
８  可撓性接続部材
【図１】
0003120736.tif 000003
【図２】
0003120736.tif 000004
【図３】
0003120736.tif 000005
【図４】
0003120736.tif 000006
【図５】
0003120736.tif 000007
【図６】
0003120736.tif 000008
【図７】
0003120736.tif 000009